(57)【要約】【課題】薄型のスピーカ装置においてクロスオーバネットワーク回路の取り付けを容易にする。【解決手段】マルチウェイスピーカ装置は、キャビネット１のバッフル板２に固定された、異なる周波数帯域を分担して受け持つ複数のスピーカユニット３ａ，３ｂ，４と、入力音声信号を帯域分割し、各スピーカユニット３ａ，３ｂ，４に、対応する周波数帯域の音声信号を出力するクロスオーバネットワーク回路５とを有する。クロスオーバネットワーク回路５は、前面からバッフル板２に固定される。【選択図】　　　　図１
2004023512.tif 000002
【特許請求の範囲】
【請求項１】
キャビネットのバッフル板に固定された、異なる周波数帯域を分担して受け持つ複数のスピーカユニットと、
入力音声信号を帯域分割し、各スピーカユニットに、対応する周波数帯域の音声信号を出力するクロスオーバネットワーク回路とを有し、
前記バッフル板に前記クロスオーバネットワーク回路を固定することを特徴とするマルチウェイスピーカ装置。
【請求項２】
請求項１記載のマルチウェイスピーカ装置において、
前記キャビネットを構成する面のうち前記バッフル板と前記バッフル板の対向面とを除いた面に固定され、前記クロスオーバネットワーク回路に前記入力音声信号を供給する入力ターミナルを有し、
前記クロスオーバネットワーク回路を前記複数のスピーカユニットと前記入力ターミナルとの間に配置することを特徴とするマルチウェイスピーカ装置。
【請求項３】
請求項１記載のマルチウェイスピーカ装置において、
前記バッフル板に固定されたダクトを有し、
前記クロスオーバネットワーク回路を前記複数のスピーカユニットと前記ダクトとの間に配置することを特徴とするマルチウェイスピーカ装置。
【発明の詳細な説明】
【０００１】
【発明の属する技術分野】
本発明は、マルチウェイスピーカ装置に関するものである。
【０００２】
【従来の技術】
従来より、異なる周波数帯域を分担して受け持つ複数のスピーカユニットを用いるマルチウェイスピーカ装置が知られている。このようなマルチウェイスピーカ装置では、入力音声信号を帯域分割して各スピーカユニットに供給するクロスオーバネットワーク回路を用いる必要がある。
【０００３】
従来、クロスオーバネットワーク回路の取り付け方法としては、図３に示すように、クロスオーバネットワーク回路２５を入力ターミナル２６と一体に組み合わせて、キャビネット２１の裏板に取り付ける方法があった。この場合、クロスオーバネットワーク回路２５と入力ターミナル２６は、予め形成された裏板の開口部に嵌め合わされて固定されることになる。図３において、２２はキャビネット２１のバッフル板、２３は低音用スピーカユニット、２４は高音用スピーカユニットである。
【０００４】
また、クロスオーバネットワーク回路２５の他の取り付け方法としては、図４に示すように、クロスオーバネットワーク回路２５をキャビネット２１の裏板内面に取り付ける方法があった。この取り付け方法では、バッフル板２２に形成された、低音用スピーカユニット２３用の開口部からキャビネット２１内にクロスオーバネットワーク回路２５を入れて、裏板内面に取り付けることになる。
【０００５】
【発明が解決しようとする課題】
図３に示したクロスオーバネットワーク回路２５の取り付け方法では、入力ターミナル２６がキャビネット２１の背面に配置される。しかしながら、例えば壁掛け形のスピーカ装置のように、キャビネット２１の背面とスピーカ装置を固定する壁面との間に空間的な余裕がない場合には、キャビネット２１の背面に入力ターミナル２６を配置することが難しく、図３に示したクロスオーバネットワーク回路２５の取り付け方法では対応できないという問題点があった。
【０００６】
また、図４に示したクロスオーバネットワーク回路２５の取り付け方法では、低音用スピーカユニット２３用の開口部からキャビネット２１内にクロスオーバネットワーク回路２５を入れるため、クロスオーバネットワーク回路２５の取り付け位置に制約があり、必然的に低音用スピーカユニット２３の背面付近に取り付ける必要がある。これに対し、近年、液晶ディスプレイやプラズマディスプレイ等の薄型テレビジョン装置の両側に配置するスピーカ装置として、薄型のスピーカ装置が要請されている。このような薄型のスピーカ装置では、低音用スピーカユニット２３の背面に空間的な余裕がないので、低音用スピーカユニット２３の背面にクロスオーバネットワーク回路２５を配置することが難しく、図４に示したクロスオーバネットワーク回路２５の取り付け方法では対応できないという問題点があった。
【０００７】
本発明は、上記課題を解決するためになされたもので、バッフル板とその対向面との距離が近い薄型の場合でも、クロスオーバネットワーク回路を容易に取り付けることができるマルチウェイスピーカ装置を提供することを目的とする。
また、本発明は、キャビネットの背面に入力ターミナルを配置することが難しい場合でも、クロスオーバネットワーク回路を容易に取り付けることができるマルチウェイスピーカ装置を提供することを目的とする。
【０００８】
【課題を解決するための手段】
本発明のマルチウェイスピーカ装置は、キャビネットのバッフル板に固定された、異なる周波数帯域を分担して受け持つ複数のスピーカユニットと、入力音声信号を帯域分割し、各スピーカユニットに、対応する周波数帯域の音声信号を出力するクロスオーバネットワーク回路とを有し、前記バッフル板に前記クロスオーバネットワーク回路を固定したものである。
また、本発明のマルチウェイスピーカ装置の１構成例は、前記キャビネットを構成する面のうち前記バッフル板と前記バッフル板の対向面とを除いた面に固定され、前記クロスオーバネットワーク回路に前記入力音声信号を供給する入力ターミナルを有し、前記クロスオーバネットワーク回路を前記複数のスピーカユニットと前記入力ターミナルとの間に配置したものである。
また、本発明のマルチウェイスピーカ装置の１構成例は、前記バッフル板に固定されたダクトを有し、前記クロスオーバネットワーク回路を前記複数のスピーカユニットと前記ダクトとの間に配置したものである。
【０００９】
【発明の実施の形態】
以下、本発明の実施の形態について図面を参照して詳細に説明する。図１（ａ）、図１（ｂ）、図１（ｃ）、図１（ｄ）、図１（ｅ）は、それぞれ本発明の実施の形態となるマルチウェイスピーカ装置の正面図、平面図、下面図、断面図、背面図である。図１において、キャビネット１のバッフル板２には、２つの低音用スピーカユニット３ａ，３ｂと、高音用スピーカユニット４が取り付けられている。また、バッフル板２には、クロスオーバネットワーク回路５が搭載された回路基板６を取り付けるために、開口部が予め形成されている。回路基板６は、バッフル板２の開口部に対して前面から嵌め合わされ、バッフル板２にねじ止めされる。
【００１０】
そして、筒型のキャビネット１の上端には天板７が取り付けられ、キャビネット１の下端には底板８が取り付けられ、底板８には入力ターミナル９が取り付けられる。また、本実施の形態のスピーカ装置は所謂バスレフ形であり、バッフル板２にはダクト１０が取り付けられている。
【００１１】
図２は図１のマルチウェイスピーカ装置の回路図である。クロスオーバネットワーク回路５は、ローパスフィルタ５１ａ，５１ｂと、ハイパスフィルタ５２とからなる。低音用スピーカユニット３ａ，３ｂと入力ターミナル９間には、それぞれローパスフィルタ５１ａ，５１ｂが挿入され、高音用スピーカユニット４と入力ターミナル９間には、ハイパスフィルタ５２が挿入される。
【００１２】
これにより、入力ターミナル９に入力された音声信号は、クロスオーバ周波数よりも高周波側の成分がローパスフィルタ５１ａ，５１ｂで除去されて低音用スピーカユニット３ａ，３ｂに入力される。また、同音声信号は、クロスオーバ周波数よりも低周波側の成分がハイパスフィルタ５２で除去されて高音用スピーカユニット４に入力される。
【００１３】
図２の回路を配線するには、クロスオーバネットワーク回路５に予めケーブル１１，１２ａ，１２ｂ，１３を接続しておく。そして、バッフル板２に形成された、回路基板６用の開口部からキャビネット１内にケーブル１１，１２ａ，１２ｂ，１３を通して、キャビネット１の下端からケーブル１１を引き出し、バッフル板２に形成された、低音用スピーカユニット３ａ，３ｂ用の開口部からケーブル１２ａ，１２ｂを引き出し、バッフル板２に形成された、高音用スピーカユニット４用の開口部からケーブル１３を引き出す。
【００１４】
このようにケーブル１１，１２ａ，１２ｂ，１３を引き回した後、底板８に取り付けられた入力ターミナル９にケーブル１１を接続し、低音用スピーカユニット３ａ，３ｂにケーブル１２ａ，１２ｂを接続し、高音用スピーカユニット４にケーブル１３を接続する。配線終了後、キャビネット１に、低音用スピーカユニット３ａ，３ｂ、高音用スピーカユニット４、回路基板６、天板７、底板８及びダクト１０を取り付ける。以上で、マルチウェイスピーカ装置の完成である。
【００１５】
なお、図１（ａ）では、低音用スピーカユニット３ａ，３ｂ、高音用スピーカユニット４、回路基板６及びダクト１０を明示しているが、実際にはバッフル板２にサランネット１４を装着するので、低音用スピーカユニット３ａ，３ｂ、高音用スピーカユニット４、回路基板６及びダクト１０はサランネット１４で隠れることになる。
【００１６】
以上のように、本実施の形態では、クロスオーバネットワーク回路５をキャビネット１のバッフル板２に取り付けたので、バッフル板２とその対向面である背面との距離が近い薄型のスピーカ装置の場合でも、バッフル板２の前面からクロスオーバネットワーク回路５を容易に取り付けることができる。また、クロスオーバネットワーク回路をキャビネット内部に取り付ける図４のようなスピーカ装置と比べて、クロスオーバネットワーク回路５を容易に取り外すことができるので、メンテナンス性を向上させることができる。
【００１７】
また、入力ターミナル９をキャビネット１の下面に取り付けたことにより、例えば壁掛け形のスピーカ装置のように、キャビネット１の背面とスピーカ装置を固定する壁面との間に空間的な余裕がない場合でも、容易に対応することができる。また、キャビネット１の背面の意匠を重視する場合に、背面の意匠を入力ターミナル９と無関係に決めることができる。さらに、入力ターミナル９とクロスオーバネットワーク回路５とスピーカユニット３ａ，３ｂ，４との間を一直線に結ぶことができるので、ケーブル１１，１２ａ，１２ｂ，１３の引き回しを簡略化することができ、ケーブル１１，１２ａ，１２ｂ，１３を短くすることができる。
【００１８】
なお、スピーカユニット３ａ，３ｂ，４とダクト１０は、離して配置することが音質的に好ましいとされている。その理由は、スピーカユニット３ａ，３ｂ，４とダクト１０とを近接して配置すると、ダクト１０から不要な音波が放射されることがあるからである。そこで、スピーカユニット３ａ，３ｂ，４とダクト１０との間にクロスオーバネットワーク回路５を配置することで、スピーカユニット３ａ，３ｂ，４とダクト１０とを離して配置することができる。
【００１９】
また、クロスオーバネットワーク回路５を搭載した回路基板６は本実施の形態のようにサランネット１４で隠してもよいが、回路基板６の意匠を工夫することにより、デザイン上の付加価値をつけることも可能である。また、本実施の形態では、バスレフ形のスピーカ装置を例に挙げて説明したが、これに限るものではなく、他のスピーカ装置、例えば密閉形のスピーカ装置でもよいことは言うまでもない。
【００２０】
【発明の効果】
本発明によれば、クロスオーバネットワーク回路をキャビネットのバッフル板に固定したので、バッフル板とその対向面との距離が近い薄型のスピーカ装置の場合でも、バッフル板の前面からクロスオーバネットワーク回路を容易に取り付けることができる。また、クロスオーバネットワーク回路を容易に取り外すことができるので、メンテナンス性を向上させることができる。
【００２１】
また、キャビネットを構成する面のうちバッフル板とバッフル板の対向面とを除いた面に入力ターミナルを配置することにより、例えば壁掛け形のスピーカ装置のように、キャビネットの背面とスピーカ装置を固定する壁面との間に空間的な余裕がない場合でも、容易に対応することができる。また、キャビネットの背面の意匠を重視する場合に、背面の意匠を入力ターミナルと無関係に決めることができる。さらに、入力ターミナルとクロスオーバネットワーク回路とスピーカユニットとの間を一直線に結ぶことができるので、ケーブルの引き回しを簡略化することができ、ケーブルを短くすることができる。
【００２２】
また、クロスオーバネットワーク回路を複数のスピーカユニットとダクトとの間に配置したことにより、スピーカユニットとダクトを音質的に有利な位置に配置することができる。
【図面の簡単な説明】
【図１】本発明の実施の形態となるマルチウェイスピーカ装置の正面図、平面図、下面図、断面図及び背面図である。
【図２】図１のマルチウェイスピーカ装置の回路図である。
【図３】従来のマルチウェイスピーカ装置の構造を示す断面図である。
【図４】従来の他のマルチウェイスピーカ装置の構造を示す断面図である。
【符号の説明】
１…キャビネット、２…バッフル板、３ａ、３ｂ…低音用スピーカユニット、４…高音用スピーカユニット、５…クロスオーバネットワーク回路、６…回路基板、７…天板、８…底板、９…入力ターミナル、１０…ダクト、１１、１２ａ、１２ｂ、１３…ケーブル、１４…サランネット。
【図１】
2004023512.tif 000003
【図２】
2004023512.tif 000004
【図３】
2004023512.tif 000005
【図４】
2004023512.tif 000006